(57)【要約】  本発明は、少なくとも一つの接着面（２）を有する少なくとも一つの歯科用補綴部品（２０）またはブラケットを構築する方法に関し、この方法において３Ｄモデル（１）は歯科用補綴部品（２０）から成る。凹部（３、９、１２、１５、２９、３１）は３Ｄモデル（１）の接着面（２）上に構築される。【選択図】図１
2020500043.tif 000002
【特許請求の範囲】
【請求項１】
少なくとも一つの歯科用補綴部品（２０）または少なくとも一つの接着面（２）を有するブラケットを構築し、３Ｄモデル（１）が前記歯科用補綴部品（２０）から成り、凹部（３、９、１２、１５、２９、３１）が前記３Ｄモデル（１）の前記接着面（２）上に構築されることを特徴とする、方法。
【請求項２】
前記３Ｄモデル（１）の前記接着面（２）の表面積が、前記凹部（３、９、１２、１５）によって拡大されることを特徴とする、請求項１に記載の方法。
【請求項３】
前記凹部（３、９、１２、１５、２９、３１）を備える、前記３Ｄモデル（１）の前記接着面（２）の特定の表面領域が選択されることを特徴とする、請求項１または２に記載の方法。
【請求項４】
前記表面領域の前記選択が、ユーザによって手動で、またはコンピュータ装置（４）によって自動的に実行されることを特徴とする、請求項３に記載の方法。
【請求項５】
前記表面領域の前記自動選択の場合、前記３Ｄモデル（１）の挿入軸（１８）が識別され、前記３Ｄモデル（１）の前記接着面（２）の面法線が識別され、前記挿入軸（１８）と前記表面領域の前記面法線との間に設定値を最大として有する角度を形成する前記接着面（２）の表面領域が選択されることを特徴とする、請求項４に記載の方法。
【請求項６】
前記挿入軸と前記表面領域の前記面法線との間の前記角度の前記設定値が最大６０°であることを特徴とする、請求項５に記載の方法。
【請求項７】
前記表面領域の前記自動的選択の場合、前記３Ｄモデル（１）の前記接着面（３３）の面法線が識別され、前記計画された歯科用補綴部品（２０）に作用する力の力方向が識別され、前記力方向と前記表面領域の前記面法線との間に設定値を最大として有する角度を形成する前記接着面（２）の表面領域が選択されることを特徴とする、請求項４に記載の方法。
【請求項８】
前記力方向と前記表面領域の前記面法線との間の前記角度の前記設定値が最大６０°であることを特徴とする、請求項７に記載の方法。
【請求項９】
前記自動選択の場合、前記接着面（２）の表面領域のみが選択され、前記歯科用補綴部品（２０）の前記３Ｄモデル（１）が、所定の最小壁厚よりも大きい厚さを有する、請求項４〜８のいずれか一項に記載の方法。
【請求項１０】
前記所定の最小壁厚が５００μｍであることを特徴とする、請求項９に記載の方法。
【請求項１１】
前記選択された表面領域内の前記凹部（２９、３１）の分布が均一であるか、または前記計画された歯科用補綴部品に作用する力に依存することを特徴とする、請求項４〜１０のいずれか一項に記載の方法。
【請求項１２】
前記凹部（３、９、１２、１５、２９、３１）の構築のために、個々の凹部の形状、深さ、またはサイズがユーザによって手動でまたはコンピュータ装置（４）によって自動的に決定されることを特徴とする、請求項１〜１１のいずれか一項に記載の方法。
【請求項１３】
前記凹部（３、９、１２、１５、２９、３１）の構築のために、前記凹部のパターン、前記凹部の外形および前記凹部の対称性が、ユーザによって手動で、またはコンピュータ装置（４）によって自動的に決定されることを特徴とする、請求項１〜１２のいずれか一項に記載の方法。
【請求項１４】
構築される前記歯科用補綴部品が、いくつかのブリッジ要素（２１、２２、２３）からなるブリッジ（２０）であり、前記個々のブリッジ要素（２１、２２、２３）上の前記凹部（２９、３１）の分布は、少なくとも一つの特定の力方向で前記ブリッジ（２０）に作用する力を考慮に入れることによって調整されることを特徴とする、請求項１〜１３のいずれか一項に記載の方法。
【請求項１５】
形状、大きさ、深さおよび／または分布に関して、使用される接着剤、製造される前記歯科用補綴部品（２０）に使用される材料に応じて、および／または付加製造法または減法製造法のどちらが使用されるかに応じて、前記凹部（３、９、１２、１５、２９、３１）がユーザによって手動で、またはコンピュータ装置（４）によって自動的に設定されることを特徴とする、請求項１から１３のいずれか一項に記載の方法。
【請求項１６】
前記歯科用補綴部品（２０）が少なくとも二つの接着部品からなり、前記凹部（２９、３５）が、第一の接着部品（２１）の第一の接着面（２８）上および第二の接着部品（２４）の第二の接着面（３４）上に構築されることを特徴とする、請求項１〜１５のいずれか一項に記載の方法。
【請求項１７】
３Ｄモデル（１）を使用して歯科用補綴部品（２０）を製造する方法であって、前記３Ｄモデル（１）が請求項１〜１６のいずれか一項に従って構築されたことを特徴とする、方法。
【請求項１８】
前記歯科用補綴部品（１）が、ＣＡＤ／ＣＡＭ方法を用いてブランクから製造され、前記構築された凹部（３、９、１２、１５、２９、３１）を有する前記歯科用補綴部品（２０）が、前記構築された３Ｄモデル（１）を用いて一つのプロセスステップで製造されることを特徴とする、請求項１７に記載の方法。
【請求項１９】
前記歯科用補綴部品（１）が、ＣＡＤ／ＣＡＭ方法を用いてブランクから製造され、前記歯科用補綴部品（２０）が、前記構築された３Ｄモデル（１）を使用して第一のプロセスステップにおいて凹部なしで製造され、前記構築された凹部（３、９、１２、１５、２９、３１）が、その後、前記ＣＡＤ／ＣＡＭ方法を用いて第二のプロセスステップで切り出されることを特徴とする、請求項１７に記載の方法。
【請求項２０】
前記歯科用補綴部品が、ＣＡＤユニット、ＣＡＭユニット、および製造機械の機械動作のための制御装置を備えるＣＡＤ／ＣＡＭ装置による前記ＣＡＤ／ＣＡＭ方法を使用して製造され、前記凹部は、前記ＣＡＤユニットのソフトウェアを用いて、前記ＣＡＭユニットのソフトウェアを用いて、および／または機械動作のための制御装置を用いて構築されることを特徴とする、請求項１８または１９に記載の方法。
【請求項２１】
前記凹部（３、９、１２、１５、２９、３１）が半球、立方体、直方体または角錐の形状を有することを特徴とする、請求項１７〜２０のいずれか一項に記載の方法。
【請求項２２】
製造される前記一つまたは複数の凹部の形状を有する特定の工具を使用して前記凹部（３、９、１２、１５、２９、３１）を切り出し、故に、前記特定の工具の単回の使用により一つのプロセスステップで一つまたは複数の凹部が切り出されることを特徴とする、請求項１７〜２１のいずれか一項に記載の方法。
【請求項２３】
前記歯科用補綴部品（２０）が付加製造法を用いて製造されることを特徴とする、請求項１７に記載の方法。
【請求項２４】
前記凹部（９）の形態が、第一の設定直径を有する円筒形チャネル（１０）と、前記チャネル（１０）の前記第一の直径を超える第二の設定直径を有するキャビティ（１１）とを含む、請求項２３に記載の方法。
【請求項２５】
前記凹部（１５）の形状が円筒形チャネル（１６）であり、そのチャネルの軸（１７）が前記歯科用補綴部品の挿入軸（１８）に対して４５°の角度（１９）を超えることを特徴とする、請求項２３または２４に記載の方法。
【請求項２６】
いくつかの凹部（１２）が、さらなるチャネル（１４）によって歯科用補綴部品（２０）内の端部で互いに接続されるチャネル（１３）の形態を有することを特徴とする、請求項２３または２４に記載の方法。
【請求項２７】
前記歯科用補綴部品（２０）の材料が、プラスチック、セラミック、金属、またはプラスチックとセラミックとの混合物であることを特徴とする、請求項１〜２６のいずれか一項に記載の方法。
【請求項２８】
少なくとも一つの接着面（２、２８、３０）を有する歯科用補綴部品（２０）であって、凹部（３、９、１２、１５、２９、３１）が歯科用補綴部品（２０）の前記接着面（２、２８、３０）上に配置されることを特徴とする、歯科用補綴部品。
【請求項２９】
前記歯科用補綴部品（２０）の前記接着面（２、２８、３０）は、前記歯科用補綴部品（２０）が調製物（２４、２５）に接着結合されるとき、前記接着面の外側領域の前記接着面（２８、３０）の接触面のみ（３２、３６）が前記調製物と接触するように形成することができ、前記接着面（２８、３０）の内側領域の前記接着面（２８、３０）は前記調製物（２４、２５）と直接接触せず、故に、接着剤からなる連続接着フィルム（３３）が前記歯科用補綴部品の前記接着面と前記調製物との間に形成されることを特徴とする、請求項２８に記載の歯科用補綴部品。
【請求項３０】
前記歯科用補綴部品（２０）が、請求項１〜１５のいずれか一項に記載の方法を用いて構築されることを特徴とする、請求項２８または２９に記載の歯科用補綴部品。
【請求項３１】
前記歯科用補綴部品（２０）が、請求項１７〜２６のいずれか一項に記載の方法を用いて製造されることを特徴とする、請求項２８〜３０のいずれか一項に記載の歯科用補綴部品。
【請求項３２】
前記歯科用補綴部品（２０）が少なくとも二つの接着部品（２１、２４、２２、２５）からなり、前記凹部（２９、３５、３１、３９）が、前記二つの接着部品を互いに接着結合するために、第一の接着部品（２１、２２）の第一の接着面（２８、３０）上および第二の接着部品（２４、２５）の第二の接着面（３４、３８）上に配置されることを特徴とする、請求項２８〜３０のいずれか一項に記載の歯科用補綴部品。
【請求項３３】
少なくとも二つの接着部品からなる歯科用補綴部品（２０）が、化粧張りフレームワーク、マルチユニット歯科用補綴部品、クラウンがその上にセットされるメソ構造体を含む歯科用補綴部品、または少なくとも一つのクラウンがその上にセットされるＴｉベースを含む歯科用補綴部品であることを特徴とする、請求項３２に記載の歯科用補綴部品。
【発明の詳細な説明】
【技術分野】
【０００１】
本発明は、少なくとも一つの接着面を有する少なくとも一つの歯科用補綴部品またはブラケットを構築する方法に関し、３Ｄモデルは歯科用補綴部品からなる。
【背景技術】
【０００２】
歯科用補綴部品を構築し製造するための多数の方法が従来技術から知られている。
【０００３】
ドイツ特許出願公開第１０２００５０２３１０６号明細書は、歯科用補綴部品を製造するための方法を開示しており、フレームワークは接着接続によって化粧張り部品に接続される。接続手段で充填された隙間が接続層に設けられる。化粧張り部品のスペース要素はフレームワークと直接接触している。
【０００４】
ドイツ特許出願公開第１０２００６０４４２１５号明細書は、歯科用補綴部品の３Ｄモデルの挿入方向を最適化するための方法を開示しており、調製物の表面上の区画領域は色でマークされる。
【０００５】
接着面を有する既知の歯科用補綴部品の一つの欠点は、歯科用補綴部品の接着接続が長期の圧縮荷重に耐えるのに十分安定的ではないことである。したがって、実際には、長期にわたる圧縮荷重の結果として、接着接続が時々破損または解放される。
【０００６】
したがって、本発明の目的は、安定した接着接続を確実にする接着面を有する方法および歯科用補綴部品を提供することである。
【発明の概要】
【０００７】
本発明は、少なくとも一つの接着面を有する少なくとも一つの歯科用補綴部品またはブラケットを構築する方法に関し、３Ｄモデルは歯科用補綴部品からなる。凹部が３Ｄモデルの接着面に構築される。
【０００８】
歯科用補綴部品は、フルクラウン、部分クラウン、前歯のための化粧張り、犬歯のための化粧張り、化粧張りフレームワーク、マルチユニット歯科用補綴部品またはクラウンが上にセットされたＴｉベースなどの任意の歯科用補綴部品であり得る。化粧張りフレームワークは、例えば貴金属合金または非貴金属合金からなるフレームワークと、このフレームワークに接着結合される、例えばセラミックからなる化粧張りとを含む。フレームワークは複数の歯を包含することができ、人工歯の単一の化粧張りが各フレームワーク部品の上に配置され、接着結合される。それ故、化粧張りの内面は第一の接着面を含み、フレームワークは第二の接着面を含む。このようにして、第一の接着面と第二の接着面との間に接着接続が確立される。
【０００９】
歯科用補綴部品が支台などのメソ構造体に接続されるフルクラウンである場合、フルクラウンの内面は第一の接着面を含み、一方で、メソ構造体の外面は第二の接着面を含む。
【００１０】
歯科用補綴部品が前歯の化粧張りである場合、化粧張りは第一の接着面を含み、一方接着接続は接着面と歯の物質との間に直接確立される。歯科用補綴部品の構成要素としてＴｉベースを使用する場合、例えばチタン合金からなるＴｉベースをセットされたインプラントに接続する。それによって、支台などのメソ構造体が、中間部品としてＴｉベースに接着結合されるか、またはフルクラウンがＴｉベースに直接接着結合される。メソ構造体の内面またはフルクラウンの内面は第一の接着面を含み、Ｔｉベースの外面は第二の接着面を含み、第一の接着接続はＴｉベースとメソ構造体の内面との間に確立され、第二の接着接続は、続いてメソ構造体の外面とフルクラウンの内面との間に確立される。
【００１１】
この方法はブラケットと共に使用することもでき、ブラケットの接着面に凹部が設けられ、接着接続はブラケットの接着面と歯の表面との間に確立される。
【００１２】
歯科用補綴部品の３Ｄモデルは、製造される歯科用補綴部品の表面に関する全ての情報を含み、従来のＣＡＤ装置によって構築される。
【００１３】
歯科用補綴部品の少なくとも一つの接着面上の凹部は、接着接続の安定性の向上を確実にする任意の形状を有する。
【００１４】
この方法の一つの利点は、歯科用補綴部品の接着面上の凹部によって接着面の表面積が拡大され、それによって接着接続の安定性が向上することである。
【００１５】
この方法のもう一つの利点は、接着面の凹部が３Ｄモデルの計画中にすでに追加されることであり、故に、接着面上に凹部を有する歯科用補綴部品の製造は、ＣＡＤ／ＣＡＭ装置のような製造装置によって、または３Ｄプリンタによって自動的に実行することができる。
【００１６】
３Ｄモデルの接着面の表面積は、有利に、凹部によって拡大することができる。
【００１７】
したがって、接着接続の安定性は、３Ｄモデルの接着面の表面積を大きくすることによって向上する。これは、歯科用補綴部品の接着中に接着剤も凹部に押し込まれ、その結果、接着剤が硬化するにつれてキャリア構造が形成されるためである。
【００１８】
有利な点として、３Ｄモデルの接着面の特定の表面領域を選択して凹部を設けることができる。
【００１９】
このようにして、凹部が設けられる接着面の特定の表面領域が選択される。次に、これらの表面領域はより安定した接着接続を有し、故に、歯科用補綴部品がより高い引張荷重および圧縮荷重を吸収することができる。
【００２０】
表面領域の選択は、有利に、ユーザによって手動でまたはコンピュータ装置によって自動的に実行され得る。
【００２１】
したがって、表面積は例えばユーザによって選択され得る。故に、ユーザは、モニタなどの表示装置によって表示される３Ｄモデル上の表面領域を選択する。
【００２２】
表面領域の自動選択の場合、３Ｄモデルの挿入軸を、有利に、識別することができ、３Ｄモデルの接着面の面法線が識別され、挿入軸と前記表面領域の面法線との間に設定値を最大として有する角度を形成する接着面の表面領域が選択される。
【００２３】
３Ｄモデルの挿入軸は、製造される歯科用補綴部品が提供されるメソ構造体または提供される歯の根の上に配置されるときの挿入方向に対応する。
【００２４】
したがって、結果として、圧縮荷重または引張荷重の場合に最大量の応力を受ける表面領域に凹部が設けられる。大臼歯の場合、咀嚼動作中の圧縮荷重の力方向は、挿入軸の向きにほぼ対応する。
【００２５】
挿入軸と表面領域の面法線との間の角度の設定値は、有利に、最大６０°であり得る。
【００２６】
したがって、挿入軸と面法線との間の角度が最大６０°である表面領域のみが接着面として選択される。最大６０°の画定された角度を使用することによって、接着面の特に応力がかかる表面領域が選択される。
【００２７】
表面領域の自動的な選択の場合、３Ｄモデルの接着面の面法線を、有利に、識別することができ、計画された歯科用補綴部品に作用する力の力方向が識別され、力方向と前記表面領域の面法線との間に設定値を最大として有する角度を形成する接着面の表面領域が選択される。
【００２８】
歯科用補綴部品に作用する力は、例えば、咀嚼動作中に生じる。ここで、特に大臼歯の場合、前記力の力方向は、挿入軸の向きにほぼ対応することができる。したがって、選択中に、表面領域の接着接続の安定性を高めるために、接着面の特に応力をかけられた表面領域に凹部が設けられる。
【００２９】
力方向と表面領域の面法線との間の角度の設定値は、有利に、最大６０°であり得る。
【００３０】
したがって、結果として、特に応力を受けた表面領域が選択される。
【００３１】
自動選択の場合、接着面の表面領域のみを、有利に、選択することができ、そこでは歯科用補綴部品の３Ｄモデルは所定の最小壁厚より大きい厚さを有する。
【００３２】
これにより、凹部が十分な壁厚を有する領域にのみ構築されることが確実となる。
【００３３】
設定最小壁厚は、有利に、５００μｍとすることができる。
【００３４】
この最小壁厚で、製造される歯科用補綴部品の必要な機械的安定性が保証される。
【００３５】
選択された表面領域内の凹部の分布は、有利に、均一であり得るか、または計画された歯科用補綴部品に作用する力に依存し得る。
【００３６】
接着接続の均一な補強は、凹部の均一な分布によって達成される。作用力に依存する凹部の分布の場合、構築された凹部の密度は、より高い作用力が存在する接着面の領域において増加する。
【００３７】
凹部の構築の場合、個々の凹部の形状、深さまたはサイズは、有利に、ユーザによって手動でまたはコンピュータ装置によって自動的に決定され得る。
【００３８】
したがって、凹部は詳細に定義される。
【００３９】
凹部の構築、凹部のパターン、凹部の輪郭および凹部の対称性は、有利に、ユーザによって手動で、またはコンピュータ装置によって自動的に決定され得る。
【００４０】
このようにして凹部は自動的に構築される。
【００４１】
構築される歯科用補綴部品は、有利に、いくつかのブリッジ要素からなるブリッジであり得、個々のブリッジ要素上の凹部の分布は、少なくとも一つの特定の力方向でブリッジに作用する力を考慮に入れることによって調整される。
【００４２】
したがって、ブリッジの接着接続の安定性は改善される。
【００４３】
それらの形状、大きさ、深さおよび／または分布に関して、使用する接着剤、製造される歯科用補綴部品に使用される材料に応じて、および／または付加製造法または減法製造法のどちらが使用されるかに応じて、凹部は、有利に、使用者によって手動でまたはコンピュータ装置によって自動的に画定できる。
【００４４】
したがって、歯科用補綴部品に特定の接着剤および特定の材料を使用するときの接着接続の安定性は改善される。
【００４５】
歯科用補綴部品は、有利に、少なくとも二つの接着部品からなり得、凹部は、第一の接着部品の第一の接着面上および第二の接着部品の第二の接着面上に構築される。
【００４６】
したがって、接着接続の安定性を向上させるために、接着パートナーまたは接着部品は接着面に凹部が設けられる。
【００４７】
本発明はさらに、３Ｄモデルを用いて歯科用補綴部品を製造する方法に関する。そうすることにおいて、３Ｄモデルは上述の方法に従って構築された。
【００４８】
この方法によれば、歯科用補綴部品は計画された３Ｄモデルを使用して製造される。
【００４９】
この製造方法の一つの利点は、歯科用補綴部品が、凹部を有する構築された３Ｄモデルを使用して完全に自動化された方法で製造され得ることである。
【００５０】
歯科用補綴部品は、有利に、ＣＡＤ／ＣＡＭ方法を用いてブランクから製造することができ、構築された凹部を有する歯科用補綴部品は、構築された３Ｄモデルを用いて一つのプロセスステップで製造される。
【００５１】
ＣＡＤ／ＣＡＭ方法は、従来のＣＡＤ／ＣＡＭ装置を用いて実施することができる。従来のＣＡＤ／ＣＡＭ装置は、３Ｄモデルを構築するためのコンピュータなどのＣＡＤユニットと、例えば四つの処理軸または五つの処理軸を有する加工機などのＣＡＭユニットと、加工機の機械動作を計算するためのＣＡＭコンピュータとを備える。
【００５２】
セラミック材料からなるブランクを加工機に固定し、加工機によって自動的に加工し、歯科用補綴部品は、構築された３Ｄモデルに従ってフライス加工される。したがって、本製造方法のこの実施形態によれば、歯科用補綴部品は、構築された３Ｄモデルに従って一つのプロセスステップで凹部を用いて製造される。
【００５３】
歯科用補綴部品は、有利に、ＣＡＤ／ＣＡＭ方法を用いてブランクから製造することができ、歯科用補綴部品は、構築された３Ｄモデルを使用して第一のプロセスステップにおいて凹部なしで製造され、構築された凹部は、ＣＡＤ／ＣＡＭ方法を用いて第二のプロセスステップで後に切り出される。
【００５４】
本製造方法のこの実施形態では、歯科用補綴部品は、最初に第一のプロセスステップで凹部なしで製造され、続いて第二のプロセスステップで凹部が切り出される。
【００５５】
加工機は三つの動作軸のみを備えることもできる。加工工具としては、従来の円筒加工工具またはアンダーカットフライスカッターを使用することができる。
【００５６】
歯科用補綴部品は、有利に、ＣＡＤユニット、ＣＡＭユニット、および製造機械の機械動作のための制御装置を含むＣＡＤ／ＣＡＭ装置によって、ＣＡＤ／ＣＡＭ方法を使用して製造することができ、凹部は、ＣＡＤユニットのソフトウェアを用いて、ＣＡＭユニットのソフトウェアを用いて、および／または機械動作のための制御装置を用いて構築される。
【００５７】
したがって、凹部は、ＣＡＤユニットのソフトウェアを用いて、ＣＡＭユニットのソフトウェアを用いて、または機械動作のための制御装置を用いてのみ、構築中にすでに追加される。
【００５８】
凹部は、有利に、半球、立方体、直方体または角錐の形状を有することができる。
【００５９】
したがって、凹部の製造は単純化される。
【００６０】
有利に、製造される一つまたは複数の凹部の形状を有する特別な工具を使用して凹部を切り出すことができ、故に、特別な工具の単回の使用により一つのプロセスステップで一つまたは複数の凹部が切り出される。
【００６１】
このようにして、特別な工具を使用して凹部をより迅速に製造することができる。
【００６２】
歯科用補綴部品は、有利に、付加製造法を用いて製造することができる。
【００６３】
例えば、歯科用補綴部品を製造するための従来の３Ｄプリンタを付加製造法に使用することができる。３Ｄプリンタは、例えばＳＬＳレーザ焼結法および／またはステレオリソグラフィ法に基づくことができる。
【００６４】
ＳＬＳレーザ焼結法に基づく３Ｄプリンタを用いて、結合剤または追加の組み立て工程なしに三次元物体を印刷することが可能になる。製造される物体の３Ｄモデルは、特別なスライスソフトウェアによって多数の水平面に分割され、制御コマンドとして３Ｄプリンタに渡される。使用された材料の粉体床から、３Ｄプリンタは次に物体の層をレイヤごとに構築し、個々の粉末粒子は高温のレーザと融合する。続いて物体を下げ、新しい粉末層を塗布する。このプロセスは、三次元物体全体が完全に印刷されるまで繰り返される。
【００６５】
付加製造法の使用は、凹部として孔または円錐状に先細りの開口部が可能であるばかりではなく、歯科用補綴部品の材料内の狭い入口チャネルおよび広い容積を有する凹部も同様に可能であるという利点を有する。これらの種類の凹部はより安定した接着接続を提供する。
【００６６】
凹部の形状は、有利に、第一の設定直径を有する円筒形チャネルと、チャネルの第一の直径を超える第二の設定直径を有するキャビティとを含むことができる。
【００６７】
接着剤は円筒形チャネルを通ってキャビティ内に押し込まれ、固化し、その結果としてポジティブロッキング嵌合を形成するので、接着接続はより安定している。
【００６８】
凹部の形状は、有利に、その軸線が歯科用補綴部品の挿入軸線に対して４５°の角度を超える円筒形チャネルであり得る。
【００６９】
したがって、歯科用補綴部品の挿入軸に沿って力が加えられると、円筒形チャネルと硬化した接着剤との間にポジティブロッキング嵌合が生じるので、接着接続の安定性が改善する。
【００７０】
いくつかの凹部は、有利に、別のチャネルによって歯科用補綴部品内のそれらの端部で互いに接続されるチャネルの形態を有することができる。
【００７１】
したがって、接着接続の安定性は、二つの入口チャネル間のさらなるチャネルがポジティブロッキング嵌合を作り出すので、改善される。
【００７２】
歯科用補綴部品の材料は、有利に、プラスチック、セラミック、金属、またはプラスチックとセラミックの混合物であり得る。
【００７３】
したがって、歯科用補綴部品を製造するために従来の材料が使用される。
【００７４】
本発明はさらに、少なくとも一つの接着面を有する歯科用補綴部品に関し、歯科用補綴部品の接着面に凹部が配置される。
【００７５】
歯科用補綴部品は、上述の構築方法を用いて構築することができ、また上述の製造方法を用いて製造することができる。
【００７６】
このような凹部を有する歯科用補綴部品の一つの利点は、従来の歯科用補綴部品と比較して、接着接続の安定性がより強いということである。
【００７７】
歯科用補綴部品の接着面は、歯科用補綴部品が調製物に接着結合されるとき、接着面の外側領域の接着面の接触面のみが調製物と接触するように有利に形成することができ、接着面の内側領域の接着面は調製物と直接接触せず、その結果、接着剤からなる連続接着フィルムが歯科用補綴部品の接着面と調製物との間に形成される。
【００７８】
したがって、接着フィルムは不連続ではないので、接着接続の安定性は改善される。
【００７９】
歯科用補綴部品は、有利に、少なくとも二つの接着部品からなり得、凹部は、前記二つの部分を互いに接着結合する目的で、第一の接着部品の第一の接着面上および第二の接着部品の第二の接着面上に構築される。
【００８０】
したがって、二つの接着部品間の接着接続が改善される。
【００８１】
少なくとも二つの接着部品からなる歯科用補綴部品は、有利に、化粧張りフレームワーク、マルチユニット歯科用補綴部品、クラウンがその上にセットされるメソ構造体を含む歯科用補綴部品、および／または少なくとも一つのクラウンがその上にセットされるＴｉベースを含む歯科用補綴部品であり得る。
【図面の簡単な説明】
【００８２】
図面を参照して本発明を説明する。図面は以下を示す。
【図１】図１は、本方法を説明するための概略図である。
【図２】図２は、構築された３Ｄモデルに従ってＣＡＭ／ＣＡＤ方法によって製造された歯科用補綴部品である。
【発明を実施するための形態】
【００８３】
図１は、少なくとも一つの接着面を有する少なくとも一つの歯科用補綴部品を構築する方法を説明するための概略図を示しており、３Ｄモデル１は歯科用補綴部品から成る。凹部３は、接着面２上に構築される。３Ｄモデル１は、コンピュータ４のようなＣＡＤ装置によって構築される。ユーザがカーソル７によって３Ｄモデル１を処理することを可能にする、マウス５およびキーボード６などの入力手段がコンピュータ４に接続される。３Ｄモデル１は、コンピュータ４に接続されるモニタなどの表示装置８によってグラフィック表示される。第一の凹部タイプ９は、３Ｄモデル１の内部に円筒形チャネル１０とより広いキャビティ１１とを含む。第二の凹部タイプ１２は、少なくとも二つの円筒形入口チャネル１３と、３Ｄモデル１の内部の入口チャネルの端部を接続する横方向チャネル１４とを含む。第三の凹部タイプ１５は、円筒形の入口チャネル１６を含み、その軸１７は、３Ｄモデル１の挿入軸１８と４５°を超える角度を形成する。したがって、角度１９はポジティブロッキング嵌合を保証し、その結果、接着接続のより高い安定性を保証する。
【００８４】
図２は、構築された３Ｄモデル１に従ってＣＡＭ／ＣＡＤ方法によって製造された歯科用補綴部品２０を示す。この場合、歯科用補綴部品２０は、第一のブリッジ要素２１、第二のブリッジ要素２２、および中間要素２３からなるブリッジである。ブリッジは、第一の歯の根２４および第二の歯の根２５に接着結合される。第一の歯の根２４は、第一の挿入方向２６を有する。第二の歯の根２５は、第二の挿入方向２７を有する。第一のブリッジ要素２１の第一の接着面２８に第一の凹部２９が設けられている。第二のブリッジ要素２２の第二の接着面３０に第二の凹部３１が設けられている。凹部２９および３１は球形凹部の形態である。歯科用補綴部品２０の第一の接着面２８は、前記歯科用補綴部品２０が調製物の歯の根２４に接着結合されるときに、接着面２８の外側領域の第一の接触面のみが第一の歯の根２４と接触するように形作られる。内側領域の接着面は歯の根２４と直接接触しないので、接着剤からなる連続接着フィルム３３が接着面２８と第一の歯の根２４の接着面３４との間に形成される。接着接続の安定性を向上させるために、歯の根２４の接着面３４上に凹部３５も形成された。第二のブリッジ要素２２の第二の接着面３０はまた、接着面３０の外側領域の表面３６と連続接着フィルム３７とを含む。接着接続の安定性を向上させるために、第二の歯の根２５の咬合面３８にも凹部３９が形成された。
【図１】
2020500043.tif 000003
【図２】
2020500043.tif 000004
【国際調査報告】
2020500043.tif 000005
2020500043.tif 000006
2020500043.tif 000007
2020500043.tif 000008
2020500043.tif 000009
2020500043.tif 000010